(57)【要約】【課題】  読取装置で読み取った読取原稿を電子メール等で送信する場合、受信側が見易く、扱いやすい構成として送信することの出来る画像処理装置及び画像処理方法を提供する。【解決手段】  読み取った画像の送信処理を行う場合において、ある任意の領域からスキャン原稿が複数ブロックから構成される原稿であること検出する手段と、複数ブロックから構成される原稿であることを検知した場合ページ単位に分割する手段と、分割した画像データを回転処理する手段と、ページ単位に分割したデータを送信する手段と、ページ単位で分割するか否かを選択可能とする手段とを備えることを特徴とする。【選択図】        図１
2006203632.tif 000002
【特許請求の範囲】
【請求項１】
１画面内が複数の単位ブロックから構成される原稿を読み取り、読み取り原稿の単位ブロック数を内のある領域におけるブロックパターンのマッチングを行って、読み取り原稿がいくつの単位ブロックから構成しているかを解析し、その結果から単位ブロック毎に原稿を分割した画像データを出力する画像読み取り手段と、前記画像読み取り手段から出力された各画像データをもとに、対応する各単位ブロック原稿の向きをそれぞれ回転させた画像データを作成する回転手段とを有することを特徴とする画像処理装置。
【請求項２】
前記単位ブロック原稿は、１ページ分の原稿であることを特徴とする請求項１に記載した画像処理装置。
【請求項３】
前記回転手段により作成された各画像データを、単位ブロック毎に分割された複数の画像データを１つのファイル形式へと変換し、ネットワーク等を経由して電子メールで添付ファイルとして、またはＦＴＰ（Ｆｉｌｅ  Ｔｒａｎｓｆｅｒ  Ｐｒｏｔｏｃｏｌ）等で転送する手段を有することを特徴とする請求項１に記載した画像処理装置。
【請求項４】
複数の単位ブロックから構成される原稿を１画面として読み取って画像データを出力する読み取り手段と、前記画像読み取り手段から出力された画像データを、任意に設定された単位ブロック数条件をもとに単位ブロック毎に原稿を分割した画像データを出力する画像読み取り手段と、任意に設定された抽出ブロック条件をもとに前記画像データから該当する単位ブロックを抽出する手段と、前記抽出画像データをもとに、単位ブロック原稿の向きをそれぞれ回転させた画像データを作成することを特徴とする画像処理装置。
【請求項５】
前記単位ブロック原稿は、１ページ分の原稿で、前記回転手段により作成された画像データを、つまり任意に抽出されたブロックの画像データのみをファイル形式へと変換し、ネットワーク等を経由して電子メールで添付ファイルとして、またはＦＴＰ等で転送する手段を有することを特徴とする請求項４に記載した画像処理装置。
【請求項６】
前記単位ブロック数の設定及び、前記ブロック抽出条件については装置内等に設ける操作部より、利用者が任意に設定可能な手段を備えることを特徴する請求項４に記載した画像処理装置。
【請求項７】
１画面内が複数の単位ブロックから構成される原稿を読み取り、読み取り原稿の単位ブロック数をある領域におけるブロックパターンのマッチングを行い、読み取り原稿のいくつの単位ブロックから構成を解析し、その結果から単位ブロック毎に原稿を分割した画像データを出力する画像読み取り手段と、前記画像読み取り手段から出力された各画像データをもとに、対応する各単位ブロック原稿の向きをそれぞれ回転させた画像データを作成する回転手段とを有することを特徴とする画像処理方法。
【請求項８】
前記単位ブロック原稿は、１ページ分の原稿であることを特徴とする請求項７に記載した画像処理方法。
【請求項９】
前記回転手段により作成された各画像データを、単位ブロック毎に分割された複数の画像データを１つのファイル形式へと変換し、ネットワーク等を経由して電子メールで添付ファイルとして、またはＦＴＰで転送する手段を有することを特徴とする請求項７に記載した画像処理方法。
【請求項１０】
複数の単位ブロックからなる原稿を１画面として読み取って画像データを出力する読み取り手段と、前記画像読み取り手段から出力された画像データを、任意に設定された単位ブロック数条件をもとに単位ブロック毎に原稿を分割した画像データを出力する画像読み取り手段と、任意に設定された抽出ブロック条件をもとに前記画像データから該当する単位ブロックを抽出する手段と、前記抽出画像データをもとに、単位ブロック原稿の向きをそれぞれ回転させた画像データを作成することを特徴とする画像処理方法。
【請求項１１】
前記単位ブロック原稿は、１ページ分の原稿であり、前記回転手段により作成された画像データを、つまり任意に抽出されたブロックの画像データのみをファイル形式へと変換し、ネットワーク等を経由して電子メールで添付ファイルとして、またはＦＴＰで転送する手段を有することを特徴とする請求項１０に記載した画像処理方法。
【請求項１２】
前記単位ブロック数の設定及び、前記ブロック抽出条件については装置内等に設ける操作部より、利用者が任意に設定可能な手段を備えることを特徴する請求項１０に記載した画像処理方法。
【発明の詳細な説明】
【技術分野】
【０００１】
本発明は、画像読み取り装置を備えた画像処理装置、情報処理装置、及び画像処理方法に関し、特にネットワークに接続され、画像読み取り装置から読み込んだ画像データをファイルの形式へと変換し、電子メール等に添付ファイルとして送信を行う場合に好適な画像処理装置及び画像処理方法に関する。
【背景技術】
【０００２】
従来、１ページ内に複数ページがレイアウトされた原稿や、書籍などのように複数の用紙が綴じられた印刷媒体等を読み込む際には、自動読み取り可能や、ブック読み取りが可能な画像読み取り装置（イメージスキャナ）が使用されている。
【０００３】
読み取った原稿を、電子メールで添付ファイルとして、またファイル転送等で送信可能とする画像処理装置もあり、宛先を指定して送信及び転送動作を開始させる指令を入力することで原稿の読み取りが開始され、読み取りデータがファイルに変換され、ファイルとして送信が行われる（例えば、特許文献１参照。）。
【特許文献１】特開平９−２０５５１３号公報
【発明の開示】
【発明が解決しようとする課題】
【０００４】
しかしながら、上記のような従来の画像読み取り装置では、１ページ内に複数ページがレイアウトされた原稿や複数の用紙が綴じられた印刷媒体等を読み取って、ファイルへと変換され送信するときに、読み取られた画像が複数ページから構成されていても、それらを何ら考慮することなく、送信や転送が行われていた。
【０００５】
すなわち例えば、１ページ分の用紙内に２ページ分がレイアウトされた原稿を読み取って得られた２ページ分の原稿画像に対して、ページ単位に分割することを行ったり、さらに、それらの各ページが縦長の場合に、分割だけでなく、ページ毎にページ回転を行ったりなどといった処理を実施せず、そのままの原稿画像は送信され、受信側では非常に見づらいといった問題や、上述の読み取られたそのままの原稿画像をファイルとして送信され、受信側でページ単位に分割することを行ったり、回転させたりしなければならないといった問題もあった。
【０００６】
本発明は、上述の問題点に着目してなされたものであって、読取装置で読み取った読取原稿を電子メール等で送信する場合、受信側が見易く、扱いやすい構成として送信することの出来る画像処理装置及び画像処理方法を提供することを目的とする。
【課題を解決するための手段】
【０００７】
本発明は、上記目的を達成するために以下に示す構成を備える。請求項１の発明によれば、１画面に含まれる複数の単位ブロック原稿を読み取り、１画面におけてある任意の領域内におけるブロックの配置パターンを検知する手段と、前記検知結果とあらかじめ認知された配置パターンである登録配置パターンとをマッチングし配置パターンを解析する手段と、前記解析結果から１画面内における単位ブロック数を分析し、前記結果に従って単位ブロックへと分割し画像データを出力する画像読み取り手段と、前記画像読み取り手段から出力された画像データをもとに、対応する各単位ブロック原稿の向きをそれぞれ回転させた画像データを形成する回転手段とを有すること特徴とする画像処置装置が提供される。
【０００８】
前記回転手段より形成された各画像データを、単位ブロック毎に分割された画像データを１つのファイル形式へと変換する手段と、変換されたファイルを電子メールの添付ファイルやファイル転送してネットワークを介して送信可能な手段を有することを特徴とする画像処理装置。
【０００９】
請求項４において、１画面に含まれる複数の単位ブロック原稿画面内の任意単位ブロック部である任意のページのみを必要とする場合において、任意に原稿内に含まれる単位ブロック数や抽出するブロック箇所を設定可能とする手段と、その設定情報より画像読み取り手段より出力される画像データを単位ブロックに分割し抽出する手段と、抽出画像データをもとに単位ブロック原稿の向きを回転させる画像データを形成する回転手段とを有すること特徴とする画像処置装置が提供される。
【００１０】
前記回転手段より形成された各画像データを、単位ブロック毎に分割された画像データをファイル形式へと変換する手段と、変換されたファイルを電子メールの添付ファイルやファイル転送してネットワークを介して送信可能な手段を有することを特徴とする画像処理装置が提供される。
【発明の効果】
【００１１】
本発明の係る画像処理装置および画像処理方法によれば、１画面に含まれる複数の単位ブロック原稿を単位ブロック毎に分割した画像データで、各単位ブロック画像データの原稿向きに対応しそれぞれ回転させた画像データを作成し、その画像データをファイルに変換し、電子メールの添付ファイルとしてまたはＦＴＰでファイル転送として送信することで、受信した側に見易く、受信したデータにおいてページ単位で扱うことが可能な画像データを提供できる。
【発明を実施するための最良の形態】
【００１２】
以下、本発明の実施の形態を、図面を参照して説明する。
【実施例】
【００１３】
本発明について説明する前に、本実施例を適用する可能な、スキャナ機能及びプリンタ機能を備えたネットワークプリンタ（マルチファンクション複合機）について説明する。
【００１４】
また、本発明はスキャナ機能のみを有し、画像を読み取りネットワークを介してデータ通信を行える装置であれば、特にプリンタ機能を有していなくでも問題ないことはいうまでもない。
【００１５】
図１は、マルチファンクション複合機の全体構成図である。
【００１６】
コントローラユニット２０００は、画像入力デバイスであるスキャナ部２０７０や画像出力デバイスであるプリンタ部２０９５と接続し、一方ではＬＡＮ２０１１や公衆回線（ＷＡＮ）２０５１と接続することで、画像情報やデバイス情報の入出力を行うためのコントローラである。ＣＰＵ２００１は、システム（複合機）全体を制御するコントローラである。ＲＡＭ２００２は、ＣＰＵ２００１が動作するためのシステムワークメモリであり、画像データを一次記憶するための画像メモリでもある。ＲＯＭ２００３は、ブートＲＯＭとして構成せれており、システムのブートプログラムを格納している。ＨＤＤ（ハードディスクドライブ）２００４は。システムソフトウェア、画像データを格納する。
【００１７】
操作部インターフェース２００６は、操作部（ＵＩ）２０１２に表示する画像データを操作部２０１２に対して出力する。また操作部インターフェース２００６は、操作部２０１２からユーザが入力した情報を、ＣＰＵ２００１に伝える役割をする。ネットワーク接続部２０１０は、ＬＡＮ２０１１に接続し、情報の入出力を行う。モデム２０５０は、公衆回線２０５１に接続し、情報の入出力を行う。
【００１８】
以上のデバイスがシステムバス２００７上に配置される。イメージバスＩ／Ｆ２００５は、前記システムバス２００７と画像データを高速で転送する画像バス２００８とを接続し、データ構造を変換するバスブリッジである。画像バス２００８は、ＰＣＩ（Ｐｅｒｉｐｈｅｒａｌ  Ｃｏｍｐｏｒｎｅｎｔ  Ｉｎｔｅｒｃｏｎｎｅｃｔ）バスまたはＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４等の汎用的なバスで構成される。画像バス２００８上には以下のデバイスが配置される。
【００１９】
ラスタイメージプロセッサ（ＲＩＰ）２０６０は、ＰＤＬ（Ｐａｇｅ  Ｄｉｓｃｒｉｐｔｉｏｎ  Ｌａｎｇｕａｇｅ）コードをビットマップイメージに展開する。デバイスＩ／Ｆ部２０２０は、画像入出力デバイスであるスキャナ部２０７０やプリンタ部２０９５とコントローラユニット２０００とを接続し、画像データの同期系／非同期系の変換を行う。スキャナ画像処理部２０８０は、入力画像データに対し補正、加工、編集を行う。プリンタ画像処理部２０９０は、プリント出力画像データに対し補正、解像度変換等を行う。画像回転部２０３０は、画像データの回転を行う。画像回転部２０３０は、画像データの回転を行う。画像圧縮処理部２０４０は、多値画像データはＪＰＥＧ（Ｊｏｉｎｔ  Ｐｈｏｔｏｇｒａｐｈｉｃ  Ｅｘｐｒｅｓｓ  Ｇｒｏｕｐ）、２値画像データはＪＢＩＧ（Ｊｏｉｎｔ  Ｂｉ―ｌｅｖｅｌ  Ｉｍａｇｅ  Ｅｘｐｅｒｔｓ  Ｇｒｏｕｐ）、ＭＭＲ（Ｍｏｄｉｆｉｅｄ  Ｍｏｄｉｆｉｅｄ  Ｒｅａｄ）、ＭＨ（Ｍｏｄｉｆｉｅｄ  Ｈｕｆｆｍａｎ）の圧縮伸張処理を行う。
【００２０】
マルチファンクション複合機における画像入出力デバイスの外観を図２に示す。画像入力デバイスであるスキャナ部２０７０は、原稿となる紙上の画像を照明し、ＣＣＤラインセンサ（図示省略）を走査することで、ラスタイメージデータ２０７１（図１）として電気信号に変換する。ユーザが原稿用紙を原稿フィーダ２０７２のトレイ２０７３にセットし、操作部２０１２から読み取り起動指示を行うことにより、コントローラユニット２０００のＣＰＵ２００１がスキャナ部２０７０に指示を与え（図１の２０７１）、原稿フィーダ２０７２により原稿画像の読み取り動作を行う。
【００２１】
画像出力デバイスであるプリンタ部２０９５は、ラスタイメージデータ２０９６（図１）を用紙上の画像に変換する部分であり、その方式は感光体ドラムや感光体ベルトを用いた電子写真方式、微小ノズルアレイからインクを吐出して用紙上に直接画像を印字するインクジェット方式等があるが、どの方式でも構わない。プリント動作の起動は、コントローラユニット２０００のＣＰＵ２００１からの指示２０９６（図１）によって開始する。プリンタ部２０９５は、異なる用紙サイズまたは異なる用紙向きを選択できるように複数の給紙段を装備し、それに対応した用紙カセット２１０１，２１０２を装備している。また、プリンタ部２０９５は、排紙トレイ２１１１を装備している。排紙トレイ２１１１は印字し終わった用紙を受けるものである。
【００２２】
マルチファンクション複合機の操作部２０１２の構成を図３に示す。ＬＣＤ表示部２０１３は、ＬＣＤ上にタッチパネルシートが張られており、システムの操作画面を表示すると共に、表示してあるキーが押されるとその位置情報をコントローラユニット２０００のＣＰＵ２００１に伝える。スタートキー２０１４は、原稿画像読み取り動作を開始する時などに用いる。スタートキー２０１４の中央部には、緑と赤の２色ＬＥＤ２０１８が配設されており、その色によってスタートキー２０１４が使える状態にあるかどうかを示す。ストップキー２０１５は、稼動中の動作を止める働きをする。ＩＤキー２０１６は、使用者のユーザＩＤを入力する時に用いる。リセットーキー２０１７は、操作部２０１２からの設定を初期化するときに用いる。操作部２０１２には、数字キー２０１９も配列されており、この数字キー２０１９を用いて数値入力が可能となる。
【００２３】
スキャナ画像処理装置部２０８０の構成を図４に示す。画像バスＩ／Ｆコントローラ２０１８は、画像バス２００８と接続し、そのバスアクセスシーケンスを制御する働きと、スキャナ画像処理部２０８０内の各デバイスの制御及びタイミング信号を発生させる。フィルタ処理部２０８２は、空間フィルタでコンボリューション演算を行う。編集部２０８３は、例えば入力画像データからマーカーペンで囲まれた閉領域を認識して、その閉領域内の画像データに対して、影つけ、網掛け、ネガポジ反転等の画像加工処理を行う。変倍処理部２０８４は、読み取り画像の解像度を変える場合にラスタイメージの主走査方向について補間演算を行い、拡大、縮小、を行う。副走査方向の変倍については、画像読み取りラインセンサ（図示省略）を走査する速度を変えることで行う。テーブル変換部２０８５は、読み取った輝度データである画像データを濃度データに変換するためにテーブル変換を行う。２値化部２０８６は、多値のグレースケール画像データを、誤差拡散処理やスクリーン処理によって２値化する。処理が終了した画像データは、再び画像バスコントローラ２０８１を介して、画像バス２００８に転送される。
【００２４】
プリンタ画像処理部２０９０の構成を図５に示す。画像バスＩ／Ｆコントローラ２０９１は、画像バス２００８と接続し、そのバスアクセスシーケンスを制御する働きと、スキャナ画像処理部２０９０内の各デバイスの制御及びタイミング信号を発生させる。解像度変換部２０９２は、ＬＡＮ２０１１或いは公衆回線２０５１から来た画像データを、プリンタ部２０９５の解像度に変換するための解像度変換を行う。スムージング処理部２０９３は、解像度変換後の画像データのジャギー（斜め線等の白黒境界部に現われる画像のがさつき）を滑らかにする処理を行う。
【００２５】
画像圧縮処理部２０４０の構成を図６に示す。画像バスＩ／Ｆコントローラ２０４１は、画像バス２００８と接続し、そのバスアクセスシーケンスを制御する働き、入力バッファ２０４２／出力バッファ２０４５とのデータのやり取りを行うためのタイミング制御、及び画像圧縮部２０４３に対するモード設定などの制御を行う。画荘圧縮処理部２０４０の処理手順をいかに示す。画像バス２００８を介して、コントローラユニット２０００のＣＰＵ２００１から画像Ｉ／Ｆコントローラ２０４１に画像圧縮制御に必要な設定を行う。この設定により、画像バスＩ／Ｆコントローラ２０４１は、画像圧縮部２０４３に対して画像圧縮に必要な設定（例えばＭＭＲ圧縮／ＪＢＩＧ伸張など）を行う。必要な設定を行った後に、再度、ＣＰＵ２００１から画像バスＩ／Ｆコントローラ２０４１に対して画像データ転送の許可を行う。この許可に従い、画像バスＩ／Ｆコントローラ２０４１は、ＲＡＭ２００２もしくは画像バス２００８もしくは画像バス２００８上の各デバイスから画像データの転送を開始する。受け取った画像データは入力バッファ２０４２に一時格納され、画像圧縮部２０４３の画像データ要求に応じて一定のスピードで画像が転送される。この際、入力バッファ２０４２は、画像バスＩ／Ｆコントローラ２０４１と画像圧縮部２０４３の両者の間で、画像データを転送できるかを判断し、画像バス２００８からの画像データの読込み及び画像圧縮２０４３への画像書き込みが不可能である場合は、データ転送を行わないような制御を行う。（以後このような制御をハンドシェークと呼称する）画像圧縮部２０４３は、受け取った画像データを一旦ＲＡＭ２０４４に格納する。これは、画像圧縮を行う際には、行う画像圧縮処理の種類によって数ライン分の圧縮を行うためであり、最初の１ライン分の圧縮を行うためには、数ライン分の画像データを用意してからでないと画像圧縮が行えないためである。画像圧縮を施された画像データは直に出力バッファ２０４５に送られる。出力バッファ２０４０５では、画像バスＩ／Ｆコントローラ２０４１及び画像圧縮部２０４３とのハンドシェークを行い、画像データを画像バスＩ／Ｆコントローラ２０４１に転送する。画像バスＩ／Ｆコントローラ２０４１では転送された圧縮（もしくは伸張）された画像データをＲＡＭ２００２もしくは画像バス２００８上の各デバイスにデータを転送する。こうした一連の処理は、コントローラユニット２０００のＣＰＵ２００１からの処理要求がなくなるまで（必要なページ数の処理が終わったとき）、もしくはこの画像圧縮部２０４３から停止要求が出るまで（圧縮及び伸張のエラー発生時など）繰り返される。
【００２６】
画像回転部２０３０の構成を図７に示す。画像バスＩ／Ｆコントローラ２０３１は、画像バス２００８と接続し、そのバスシーケンスを制御する働き、画像回転部２０３２にモードなどを設定する制御、および画像回転部２０３２に画像データを転送するためのタイミング制御を行う。画像回転部２０３０の処理手順を以下に示す。画像バス２００９を介して、コントローラユニット２０００のＣＰＵ２００１から画像バスＩ／Ｆコントローラ２０３１に画像回転制御のための設定を行う。この設定により、画像バスＩ／Ｆコントローラ２０３１は、画像回転部２０３２に対して画像回転に必要な設定（例えば画像サイズや回転方向・角度など）を行う。必要な設定を行った後に、再度、ＣＰＵ２００１から画像バスＩ／Ｆコントローラ２０３１に対して画像データ転送の許可を行う。この許可に従い、画像バスＩ／Ｆコントローラ２０３１は、ＲＡＭ２００２もしくは画像バス２００８上の各デバイスから画像データの転送を開始する。
【００２７】
デバイスＩ／Ｆ部２０２０の構成を図８に示す。画像バスＩ／Ｆコントローラ２０２１は、画像バス２００８と接続し、そのバスアクセスシーケンスを制御する働きと、デバイスＩ／Ｆ部２０２０内の各デバイスの制御およびタイミング信号を発生させる。また、画像バスＩ／Ｆコントローラ２０２１は、外部のスキャナ部２０７０およびプリンタ部２０９５への制御信号を発生させる。スキャンバッファ２０２２は、スキャナ部２０７０から送られてくる画像データを一時保存し、画像バス２００８に同期させて画像データを出力する。シリアルパラレル・パラレルシリアル変換部２０２３は、スキャンバッファ２０２２に保存された画像データを順番に並べて、あるいは分解して、画像バス２００８に転送できる画像データのデータ幅に変換する。パラレルシリアル・シリアルパラレル変換部２０２４は、画像バス２００８から転送された画像データを分解して、あるいは順番に並べ替えて、プリントバッファ２０２５に保存できる画像データのデータ幅に変換する。プリントバッファ２０２５は、画像バス２００８から送られてくる画像データを一時保存し、プリンタ部２０９５に同期させて画像データを出力する。画像スキャン時の処理手順を以下に示す。スキャナ部２０７０から送られてくる画像データをスキャナ部２０７０から送られてくるタイミング信号に同期させて、スキャンバッファ２０２２に保存する。そして、画像バス２００８がＰＣＩバスの場合には、スキャンバッファ２０２２内に画像データが３２ビット以上は行ったときに、画像データを先入れ先出しで３２ビット分、スキャンバッファ２０２２からシリアルパラレル・パラレルシリアル変換部２０２３に送り、３２ビットの画像データに変換し、画像バスＩ／Ｆコントローラ部２０２１を通して画像バス２００８に転送する。また画像バス２００８がＩＥＥＥ１３９４の場合には、画像バス２００８から送られてくるシリアル画像データを画像バスＩ／Ｆコントローラ２０２１で受け取り、パラレルシリアル・シリアルパラレル変換部２０２４の送り、プリンタ部２０９５の入力データビット数の画像データに変換し、プリントバッファ２０２５内に保存する。そして、プリンタ部２０９５から送られてくるタイミング信号に同期させて、プリントバッファ２０２５内の画像データを先入れ先出しで、プリント部２０９５に送る。
【００２８】
前述したような、マルチファンクション複合機の構成を背景として、本発明の実施例の動作に関する説明を行う。
【００２９】
図９は本発明の第１実施例を示すフローチャートである。まず、スキャナ部２０７０で読み取った原稿を電子メールの添付ファイルとして送信やＦＴＰでファイル転送する設定を操作部２０２１で設定されているものとする。送信の操作が行われたら、スキャナ部２０７０で原稿の読み込みを開始する（Ｓ９００）、次に読み込み原稿の任意の領域内において画像の配置を確認する（Ｓ９０１）、前記配置の検出結果から配置の状況をあらかじめ登録されていた配置パターンとの整合を解析する（Ｓ９０２）、なお、前述の原稿において任意の領域または登録された配置パターンについては、図１０に示すような１画面内に複数ブロック（ページ）が配置されたものがいずれのものであるかを確認できるような領域（点線でかこまれた領域）であること。想定される画像の配置パターン（本発明では、２，４，６，８，９，１６の６パターンを想定）が登録されるものである。ステップＳ９０２で解析結果をもとに１画面に複数単位ブロックの原稿であり、単位ブロック数を判定することが可能となる（Ｓ９０３）、次に単位ブロック毎（１ページ毎）に分割するか否か（Ｓ９０４）により処理が異なる。なお単位ブロック分割を行うか否かはあらかじめ操作部２０１２から設定されていても良いし、読み込み画像が複数単位ブロックの配置された原稿であることを検知した時点で確認をするとしてもどちらでも良い。ステップＳ９０３において読み込み原稿が複数単位ブロックで構成される原稿でない場合や、ステップＳ９０４においてしない場合は、読み込み画像をそのままファイル変換する（Ｓ９０７）、ステップＳ９０４において複数単位ブロックで構成される原稿であるが単位ブロック毎に分割する場合、ステップＳ９０２での解析結果より単位ブロック毎に分割を行い（Ｓ９０５）、分割された画像データに対してデータの回転処理を行う（Ｓ９０６）。このとき、分割された画像データにはおおむね回転処理を必要とする場合が多いため、回転処理を行うこととするが、必要としない場合は当然あるものでこの場合はステップステップＳ９０６の処理は省略されるものとし、回転処理が必要か否かの判断は読み込み原稿の画像データをＯＣＲ処理等し、その原稿の文字の向きより判定してもよい。回転処理された分割データを１つのファイル形式へと変換（Ｓ９０８）し、データを送信部に渡し（Ｓ９０９）、電子メールであれば添付ファイルとしてＦＴＰならばファイル転送として送信される（Ｓ９１０）。
【００３０】
次に、図１１に示した本発明の第２の実施例を示したフローチャートである。第１の実施例と同様にまず、スキャナ部２０７０で読み取った原稿を電子メールの添付ファイルとして送信やＦＴＰでファイル転送する設定を操作部２０２１で設定されているものとする。ここで１画面に複数単位ブロックがレイアウトされた原稿について、任意のブロック（ページ）のみを送信することを可能とするため、同時に設定可能な構成とする。操作部２０１２から設定する手順の一例を図１２に示す。操作部２０１２のＬＣＤ表示部２０１３から設定することができ、ＬＣＤ表示部２０１３は最初の表示は１２００に図示するとおりであり、表示部２０１３内の送信／ファックスキーを押すことにより、送信設定画面１２１１の表示に切り替る、送信設定画面１２１１内の読み込み設定キーを押すことで、読み込み設定を行えることになり、その中の本発明に関係する単位ブロックを選択する設定を選択すると、設定画面１２０２に切り替り、任意の設定を行う。その際ここでブロック指定を選択することで表示画面が１２０３へと切り替り任意の設定を行うこととなる。本実施例で示すのは、１画面内に４つの単位ブロックで構成される例である。単位ブロック数を任意に設定することで、ブロック指定も切り替るものである。各々の設定が終了（Ｓ１１００）し、送信の操作が行われたら、スキャナ部２０７０で原稿の読み込みを開始する（Ｓ１１０１）、次に読み込み原稿の任意の単位ブロックのみを送信する設定か否か（Ｓ１１０２）によって処理は異なり、任意の単位ブロックのみ送信する設定の場合は、読み込み原稿を単位ブロックに分割し（Ｓ１１０４）、その後任意の単位ブロックを抽出し（Ｓ１１０６）、抽出された分割された画像データに対してデータの回転処理を行う（Ｓ１１１１）。このとき、分割された画像データにはおおむね回転処理を必要とする場合が多いため、回転処理を行うこととするが、必要としない場合は当然あるものでこの場合はステップＳ１１０８の処理は省略されるものとし、回転処理が必要か否かの判断は読み込み原稿の画像データをＯＣＲ処理等し、その原稿の文字の向きより判定してもよい。回転処理された分割データをファイル形式へと変換（Ｓ１１１２）し、データを送信部に渡し（Ｓ１１１３）、電子メールであれば添付ファイルとしてＦＴＰならばファイル転送として送信される（Ｓ１１１４）、ステップＳ１１０２において単位ブロックのみを送信しない設定の場合はステップＳ１１０５へとなる、ここで単位ブロック毎に分割設定である場合は、単位ブロック毎に分割処理し（Ｓ１１０７）、データの回転処理（Ｓ１１０８）、１つのファイルへと変換し（Ｓ１１０９）、データを送信部に渡し（Ｓ１１１３）、電子メールであれば添付ファイルとしてＦＴＰならばファイル転送として送信される（Ｓ１１１４）。ステップＳ１１０５において単位ブロックに分割しない場合、読み込み画像をそのままファイル変換する（Ｓ１１１０）、データを送信部に渡し（Ｓ１１１３）、電子メールであれば添付ファイルとしてＦＴＰならばファイル転送として送信される（Ｓ１１１４）。
【図面の簡単な説明】
【００３１】
【図１】複合機のハードウェアの全体構成を示すブロック図である。
【図２】複合機の外観を示す図である。
【図３】複合機の操作部の構成を示す図である。
【図４】複合機のスキャナ画像処理部の構成を示すブロック図である。
【図５】複合機のプリンタ画像処理部の構成を示すブロック図である。
【図６】複合機の画像圧縮処理部の構成を示すブロック図である。
【図７】複合機の画像回転部の構成を示すブロック図である。
【図８】複合機のデバイスＩ／Ｆ部の構成を示すブロック図である。
【図９】本発明の一実施形態である読み込み原稿の分割処理の流れを示すフローチャートである。
【図１０】本発明の一実施形態である読み込み原稿の分割パターンを示す図である。
【図１１】本発明のもう一つの実施形態である読み込み原稿の分割処理の流れを示すフローチャートである。
【図１２】本発明の一実施形態である操作部の設定手順を示す図である。
【符号の説明】
【００３２】
２０００  マルファンクション複写機
２０７０  スキャナ部
２０１２  操作部
２０８０  スキャナ画像処理部
２０３０  画像回転部
【図１】
2006203632.tif 000003
【図２】
2006203632.tif 000004
【図３】
2006203632.tif 000005
【図４】
2006203632.tif 000006
【図５】
2006203632.tif 000007
【図６】
2006203632.tif 000008
【図７】
2006203632.tif 000009
【図８】
2006203632.tif 000010
【図９】
2006203632.tif 000011
【図１０】
2006203632.tif 000012
【図１１】
2006203632.tif 000013
【図１２】
2006203632.tif 000014